(57)【要約】【課題】電子ペーパーに記録される画像の画質を向上させることにある。【解決手段】着色帯電粒子を有し当該着色帯電粒子が厚み方向に移動することにより画像を表示する電子ペーパーが二つの部材の間に位置する際に、該電子ペーパーに電界の作用で画像が表示される。二つの部材のうちの一方の部材が帯電された状態で、上記表示のための処理を複数回（第一処理及び第二処理）行うが、第一処理と第二処理とで、当該帯電の極性が逆転している（一方が正帯電で、片方が負帯電である）。【選択図】図３
2011237604.tif 000002
【特許請求の範囲】
【請求項１】
互いに逆の極性の潜像を担持する第一像担持体及び第二像担持体と、
前記潜像を前記第一像担持体及び前記第二像担持体に形成する潜像形成部と、
前記第一像担持体及び前記第二像担持体とそれぞれ対向する第一対向部材及び第二対向
部材と、
着色帯電粒子を有し前記着色帯電粒子が厚み方向に移動することにより画像を表示する
電子ペーパーを、搬送する搬送部と、
前記第一像担持体と前記第一対向部材との間である第一間隙又は前記第二像担持体と前
記第二対向部材との間である第二間隙に前記電子ペーパーが位置する際に、前記第一間隙
又は前記第二間隙に前記厚み方向に沿う電界を発生させて前記着色帯電粒子を前記厚み方
向に移動させることにより、前記潜像に対応する画像を前記電子ペーパーに表示させる電
界発生部と、
前記電子ペーパーを前記搬送部に搬送させて、前記電子ペーパーの互いに異なる部位を
前記第一間隙に順次送り込み、かつ、前記潜像の前記第一像担持体への形成を前記潜像形
成部に行なわせて、前記電界発生部を制御することにより前記第一間隙に送り込まれた前
記部位に前記潜像に対応する画像を順次表示させる第一処理と、
前記電子ペーパーを前記搬送部にさらに搬送させて、前記第一間隙を一旦抜けた前記部
位を前記第二間隙に順次送り込み、かつ、前記第一像担持体に形成される前記潜像を反転
させた反転潜像の前記第二像担持体への形成を前記潜像形成部に行なわせて、前記電界発
生部を制御することにより前記第二間隙に送り込まれた前記部位に前記反転潜像に対応す
る画像を順次表示させる第二処理と、を実行するコントローラーと、
を有することを特徴とする電子ペーパーへの画像記録装置。
【請求項２】
互いに逆の極性の潜像を担持する第一像担持体及び第二像担持体と、
前記潜像を前記第一像担持体及び前記第二像担持体に形成する潜像形成部と、
前記第一像担持体及び前記第二像担持体とそれぞれ対向する第一対向部材及び第二対向
部材と、
着色帯電粒子を有し前記着色帯電粒子が厚み方向に移動することにより画像を表示する
電子ペーパーを、搬送する搬送部と、
前記第一像担持体と前記第一対向部材との間である第一間隙又は前記第二像担持体と前
記第二対向部材との間である第二間隙に前記電子ペーパーが位置する際に、前記第一間隙
又は前記第二間隙に前記厚み方向に沿う電界を発生させて前記着色帯電粒子を前記厚み方
向に移動させることにより、前記潜像に対応する画像を前記電子ペーパーに表示させる電
界発生部と、を有する電子ペーパーへの画像記録装置を準備することと、
前記電子ペーパーを前記搬送部に搬送させて、前記電子ペーパーの互いに異なる部位を
前記第一間隙に順次送り込み、かつ、前記潜像の前記第一像担持体への形成を前記潜像形
成部に行なわせて、前記電界発生部を制御することにより前記第一間隙に送り込まれた前
記部位に前記潜像に対応する画像を順次表示させる第一処理と、
前記電子ペーパーを前記搬送部にさらに搬送させて、前記第一間隙を一旦抜けた前記部
位を前記第二間隙に順次送り込み、かつ、前記第一像担持体に形成される前記潜像を反転
させた反転潜像の前記第二像担持体への形成を前記潜像形成部に行なわせて、前記電界発
生部を制御することにより前記第二間隙に送り込まれた前記部位に前記反転潜像に対応す
る画像を順次表示させる第二処理と、を実行することと、
を有することを特徴とする電子ペーパーへの画像記録方法。
【発明の詳細な説明】
【技術分野】
【０００１】
本発明は、電子ペーパーへの画像記録装置、及び、電子ペーパーへの画像記録方法に関
する。
【背景技術】
【０００２】
着色帯電粒子を有し前記着色帯電粒子が厚み方向に移動することにより画像を表示する
電子ペーパーは既によく知られている。そして、当該電子ペーパーへの画像の記録が、潜
像を担持する像担持体と、潜像を像担持体に形成する潜像形成部と、像担持体と対向する
対向部材と、電子ペーパーを搬送する搬送部と、像担持体と対向部材との間に前記厚み方
向に沿う電界を発生させて着色帯電粒子を厚み方向に移動させることにより、潜像に対応
する画像を電子ペーパーに表示させる電界発生部と、を備える画像記録装置により行なわ
れる場合がある。
【先行技術文献】
【特許文献】
【０００３】
【特許文献１】特開２００９−２５１０４８号公報
【発明の概要】
【発明が解決しようとする課題】
【０００４】
ところで、前記画像記録装置により電子ペーパーに画像が記録される際に、画像の形状
によっては、該画像が適切に記録されない場合があった。例えば、当該画像として、罫線
を記録する際に、罫線が細く記録される場合があった。そして、かかる場合には、電子ペ
ーパーに記録される画像の画質が悪化することとなっていた。
【０００５】
本発明は、かかる課題に鑑みてなされたものであり、その目的とするところは、電子ペ
ーパーに記録される画像の画質を向上させることにある。
【課題を解決するための手段】
【０００６】
主たる本発明は、互いに逆の極性の潜像を担持する第一像担持体及び第二像担持体と、
前記潜像を前記第一像担持体及び前記第二像担持体に形成する潜像形成部と、
前記第一像担持体及び前記第二像担持体とそれぞれ対向する第一対向部材及び第二対向
部材と、
着色帯電粒子を有し前記着色帯電粒子が厚み方向に移動することにより画像を表示する
電子ペーパーを、搬送する搬送部と、
前記第一像担持体と前記第一対向部材との間である第一間隙又は前記第二像担持体と前
記第二対向部材との間である第二間隙に前記電子ペーパーが位置する際に、前記第一間隙
又は前記第二間隙に前記厚み方向に沿う電界を発生させて前記着色帯電粒子を前記厚み方
向に移動させることにより、前記潜像に対応する画像を前記電子ペーパーに表示させる電
界発生部と、
前記電子ペーパーを前記搬送部に搬送させて、前記電子ペーパーの互いに異なる部位を
前記第一間隙に順次送り込み、かつ、前記潜像の前記第一像担持体への形成を前記潜像形
成部に行なわせて、前記電界発生部を制御することにより前記第一間隙に送り込まれた前
記部位に前記潜像に対応する画像を順次表示させる第一処理と、
前記電子ペーパーを前記搬送部にさらに搬送させて、前記第一間隙を一旦抜けた前記部
位を前記第二間隙に順次送り込み、かつ、前記第一像担持体に形成される前記潜像を反転
させた反転潜像の前記第二像担持体への形成を前記潜像形成部に行なわせて、前記電界発
生部を制御することにより前記第二間隙に送り込まれた前記部位に前記反転潜像に対応す
る画像を順次表示させる第二処理と、を実行するコントローラーと、
を有することを特徴とする電子ペーパーへの画像記録装置である。  
本発明の他の特徴については、本明細書及び添付図面の記載により明らかにする。
【図面の簡単な説明】
【０００７】
【図１】電子ペーパー１００の構成を模式的に示す断面図である。
【図２】黒像部及び白像部における着色帯電粒子の様子を示した模式図である。
【図３】画像記録装置１の概略断面図である。
【図４】画像記録装置１のブロック図である。
【図５】第一対向ローラー５２ａに印加される印加電圧を示した図である。
【図６】不適切記録問題を説明するための説明図である。
【図７】第二対向ローラー５２ａに印加される印加電圧を示した図である。
【図８】不適切な記録が軽減される理由を説明するための説明図である。
【発明を実施するための形態】
【０００８】
本明細書及び添付図面の記載により、少なくとも次のことが明らかにされる。
【０００９】
互いに逆の極性の潜像を担持する第一像担持体及び第二像担持体と、
前記潜像を前記第一像担持体及び前記第二像担持体に形成する潜像形成部と、
前記第一像担持体及び前記第二像担持体とそれぞれ対向する第一対向部材及び第二対向
部材と、
着色帯電粒子を有し前記着色帯電粒子が厚み方向に移動することにより画像を表示する
電子ペーパーを、搬送する搬送部と、
前記第一像担持体と前記第一対向部材との間である第一間隙又は前記第二像担持体と前
記第二対向部材との間である第二間隙に前記電子ペーパーが位置する際に、前記第一間隙
又は前記第二間隙に前記厚み方向に沿う電界を発生させて前記着色帯電粒子を前記厚み方
向に移動させることにより、前記潜像に対応する画像を前記電子ペーパーに表示させる電
界発生部と、
前記電子ペーパーを前記搬送部に搬送させて、前記電子ペーパーの互いに異なる部位を
前記第一間隙に順次送り込み、かつ、前記潜像の前記第一像担持体への形成を前記潜像形
成部に行なわせて、前記電界発生部を制御することにより前記第一間隙に送り込まれた前
記部位に前記潜像に対応する画像を順次表示させる第一処理と、
前記電子ペーパーを前記搬送部にさらに搬送させて、前記第一間隙を一旦抜けた前記部
位を前記第二間隙に順次送り込み、かつ、前記第一像担持体に形成される前記潜像を反転
させた反転潜像の前記第二像担持体への形成を前記潜像形成部に行なわせて、前記電界発
生部を制御することにより前記第二間隙に送り込まれた前記部位に前記反転潜像に対応す
る画像を順次表示させる第二処理と、を実行するコントローラーと、
を有することを特徴とする電子ペーパーへの画像記録装置。  
かかる電子ペーパーへの画像記録装置によれば、電子ペーパーに記録される画像の画質
を向上させることが可能となる。
【００１０】
次に、互いに逆の極性の潜像を担持する第一像担持体及び第二像担持体と、
前記潜像を前記第一像担持体及び前記第二像担持体に形成する潜像形成部と、
前記第一像担持体及び前記第二像担持体とそれぞれ対向する第一対向部材及び第二対向
部材と、
着色帯電粒子を有し前記着色帯電粒子が厚み方向に移動することにより画像を表示する
電子ペーパーを、搬送する搬送部と、
前記第一像担持体と前記第一対向部材との間である第一間隙又は前記第二像担持体と前
記第二対向部材との間である第二間隙に前記電子ペーパーが位置する際に、前記第一間隙
又は前記第二間隙に前記厚み方向に沿う電界を発生させて前記着色帯電粒子を前記厚み方
向に移動させることにより、前記潜像に対応する画像を前記電子ペーパーに表示させる電
界発生部と、を有する電子ペーパーへの画像記録装置を準備することと、
前記電子ペーパーを前記搬送部に搬送させて、前記電子ペーパーの互いに異なる部位を
前記第一間隙に順次送り込み、かつ、前記潜像の前記第一像担持体への形成を前記潜像形
成部に行なわせて、前記電界発生部を制御することにより前記第一間隙に送り込まれた前
記部位に前記潜像に対応する画像を順次表示させる第一処理と、
前記電子ペーパーを前記搬送部にさらに搬送させて、前記第一間隙を一旦抜けた前記部
位を前記第二間隙に順次送り込み、かつ、前記第一像担持体に形成される前記潜像を反転
させた反転潜像の前記第二像担持体への形成を前記潜像形成部に行なわせて、前記電界発
生部を制御することにより前記第二間隙に送り込まれた前記部位に前記反転潜像に対応す
る画像を順次表示させる第二処理と、を実行することと、
を有することを特徴とする電子ペーパーへの画像記録方法。  
かかる電子ペーパーへの画像記録方法によれば、電子ペーパーに記録される画像の画質
を向上させることが可能となる。
【００１１】
＝＝＝画像記録装置１の構成例について＝＝＝
次に、電子ペーパー１００への画像記録装置、すなわち、電子ペーパー１００に画像を
記録する画像記録装置１の構成例について、説明する。  
以下では、画像記録装置１の説明に先立って、先ず、電子ペーパー１００の構成につい
て説明する。そして、これに引き続いて、画像記録装置１の構成について説明する。
【００１２】
＜＜＜電子ペーパー１００の構成例について＞＞＞
ここでは、電子ペーパー１００の構成例について、図１及び図２を用いて説明する。図
１は、電子ペーパー１００の構成を模式的に示す断面図である。図２は、黒像部及び白像
部における着色帯電粒子の様子を示した模式図である。
【００１３】
電子ペーパー１００は、着色帯電粒子を有し、該着色帯電粒子が厚み方向に移動するこ
とにより画像を表示するものである。換言すれば、電子ペーパー１００は、着色された電
気泳動粒子の電気泳動を利用して画像の表示を行う。
【００１４】
図１に示すように、本実施の形態に係る電子ペーパー１００は、表示層１０３と、表示
層１０３の上面に設けられた上側絶縁層１４１と、表示層１０３の下面に設けられた下側
絶縁層１４２と、封止部１０７と、を備えている。
【００１５】
電子ペーパー１００では、上側絶縁層１４１が表示面１２１を構成しており、上側絶縁
層１４１を介して表示層１０３が視認されることにより、画像を認識することができるよ
うになっている（一方、下側絶縁層１４２は、表示面１２１の裏側の裏側面１２３を構成
している）。また、電子ペーパー１００は、可撓性を有するもの、有さないもののいずれ
であってもよいが、本実施の形態に係る電子ペーパー１００は、可撓性を有している。
【００１６】
表示層１０３は、着色帯電粒子の一例としての負帯電黒色粒子及び正帯電白色粒子の収
容部であるマイクロカプセル１３１とバインダ１３２とを有しており、複数のマイクロカ
プセル１３１がバインダ１３２で固定（保持）されることにより構成されている。また、
複数のマイクロカプセル１３１は、上側絶縁層１４１と下側絶縁層１４２との間に、縦横
に並列するように単層で（厚さ方向に重なることなく１個ずつ）配設されている。
【００１７】
各マイクロカプセル１３１は、殻体であるカプセル本体１３３を有しており、その内部
（内部空間）には、電気泳動分散液が充填（封入）されている。カプセル本体１３３内に
充填された電気泳動分散液は、正帯電白色粒子と負帯電黒色粒子とを液相分散媒に分散（
懸濁）してなるものである。正帯電白色粒子及び負帯電黒色粒子の液相分散媒への分散に
ついては、ペイントシェーカー法、ボールミル法、メディアミル法、超音波分散法、攪拌
分散法等のうちの１種または２種以上を組み合わせて行なうことができる。
【００１８】
正帯電白色粒子は、正に帯電する白色の電気泳動粒子であり、負帯電黒色粒子は、負に
帯電する黒色の電気泳動粒子である。このように、正帯電白色粒子と負帯電黒色粒子とを
用いることにより、電子ペーパー１００における白黒表示が可能となる。なお、本実施の
形態においては、負帯電黒色粒子の帯電量と比べて、正帯電白色粒子の帯電量が小さくな
っている（正帯電白色粒子は微帯電している）。
【００１９】
正帯電白色粒子及び負帯電黒色粒子には、それぞれ、電荷を有するものであれば、いか
なるものをも用いることができ、特に限定はされないが、顔料粒子、樹脂粒子またはこれ
らの複合粒子のうちの少なくとも１種が好適に使用される。
【００２０】
顔料粒子を構成する顔料としては、例えば、アニリンブラック、カーボンブラック、チ
タンブラック等の黒色顔料、酸化チタン、酸化アンチモン等の白色顔料等が挙げられ、こ
れらのうちの１種または２種以上を組み合わせて用いることができる。このうち、チタン
ブラックが負帯電黒色粒子として、酸化チタンが正帯電白色粒子として、好適に用いられ
る（本実施の形態においても、これらが用いられている）。
【００２１】
また、樹脂粒子を構成する樹脂材料としては、例えば、アクリル系樹脂、ウレタン系樹
脂、尿素系樹脂、エポキシ系樹脂、ポリスチレン、ポリエステル等が挙げられ、これらの
うちの１種または２種以上を組み合わせて用いることができる。
【００２２】
また、複合粒子としては、例えば、顔料粒子の表面を樹脂材料や他の顔料で被覆したも
の、樹脂粒子の表面を顔料で被覆したもの、顔料と樹脂材料とを適当な組成比で混合した
混合物で構成される粒子等が挙げられる。顔料粒子の表面を他の顔料で被覆した粒子とし
ては、例えば、酸化チタン粒子の表面を、酸化珪素や酸化アルミニウムで被覆したものを
例示することができる。
【００２３】
正帯電白色粒子及び負帯電黒色粒子については、液相分散媒中での分散性を考慮した場
合、より小さいものが好適に用いられる。具体的には、その平均粒径が、１０〜５００ｎ
ｍ程度であるのが好ましく、２０〜３００ｎｍ程度であるのがより好ましい。正帯電白色
粒子及び負帯電黒色粒子の平均粒径を前記範囲とすることにより、正帯電白色粒子と負帯
電黒色粒子の凝集や、正帯電白色粒子や負帯電黒色粒子の沈降を防止することができ、正
帯電白色粒子及び負帯電黒色粒子を液相分散媒中に分散させた状態を維持することができ
る。
【００２４】
そして、このような正帯電白色粒子及び負帯電黒色粒子がマイクロカプセル１３１内で
電子ペーパー１００の厚み方向に移動することにより、画像が表示されることとなる。
【００２５】
すなわち、詳細については後述するが、当該電子ペーパー１００における黒い像（以下
、黒像）を表示させたい部位（黒像部）においては、負帯電黒色粒子が前記厚み方向にお
ける上側絶縁層１４１（表示面１２１）側に、正帯電白色粒子が下側絶縁層１４２側に、
それぞれ移動し（図２の左図参照）、白い像（以下、白像）を表示させたい部位（白像部
）においては、正帯電白色粒子が前記厚み方向における上側絶縁層１４１（表示面１２１
）側に、負帯電黒色粒子が下側絶縁層１４２側に、それぞれ移動するように（図２の右図
参照）、粒子の移動が制御されることにより、電子ペーパー１００における白黒表示が成
される。そして、この粒子の移動制御は、前記画像記録装置１が、前記厚み方向に沿う電
界を発生させ、前者の部位においては電界の向きが下向き（上側絶縁層１４１から下側絶
縁層１４２へ向かう向き）となり（図２の左図参照）、後者の部位においては電界の向き
が上向き（下側絶縁層１４２から上側絶縁層１４１へ向かう向き）となるように（図２の
右図参照）、電界の向きを制御することによって実現されることとなる。
【００２６】
なお、正帯電白色粒子及び負帯電黒色粒子の比重は、それぞれ、液相分散媒の比重とほ
ぼ等しくなるように設定されているのが好ましい。これにより、正帯電白色粒子及び負帯
電黒色粒子は、電界の作用を受けた後においても、液相分散媒中において一定の位置に長
時間滞留することができる。
【００２７】
バインダ１３２は、例えば、上側絶縁層１４１と下側絶縁層１４２とを接合する目的、
上側絶縁層１４１と下側絶縁層１４２との間に各マイクロカプセル１３１を固定する目的
等により供給される。このバインダ１３２には、上側絶縁層１４１、下側絶縁層１４２お
よびカプセル本体１３３との親和性（密着性）に優れ、かつ、絶縁性に優れる樹脂材料が
好適に使用される。
【００２８】
表示層１０３を間に挟むように対向配置された上側絶縁層１４１及び下側絶縁層１４２
は、それぞれ、絶縁性を有するシート状（平板状）の部材で構成されている。このような
上側絶縁層１４１及び下側絶縁層１４２は、表示層１０３（マイクロカプセル１３１）を
保護する機能を有している。
【００２９】
上側絶縁層１４１は、表示面１２１を構成するために光透過性を有するもの、すなわち
、実質的に透明（無色透明、有色透明または半透明）とされる。これにより、表示面１２
１側から、表示層１０３の状態（各マイクロカプセル１３１中の正帯電白色粒子及び負帯
電黒色粒子の状態）、すなわち電子ペーパー１００に表示された画像（情報）を目視によ
り認識することができる。一方、下側絶縁層１４２については、上側絶縁層１４１のよう
な光透過性の有無は問わない（本実施の形態においては、下側絶縁層１４２は実質的に不
透明となっている）。
【００３０】
封止部１０７は、電子ペーパー１００内への水分の浸入を防止して、電子ペーパー１０
０の表示性能の劣化を抑えるためのものである。封止部１０７は、上側絶縁層１４１と下
側絶縁層１４２との間に、それらの縁部に沿うようにして設けられている。そして、この
封止部１０７により、表示層１０３が気密的に封止されている。
【００３１】
＜＜＜画像記録装置１の構成例について＞＞＞
次に、画像記録装置１の構成例について、図３及び図４を用いて説明する。図３は、画
像記録装置１の概略断面図である。図４は、画像記録装置１のブロック図である。
【００３２】
本実施の形態に係る画像記録装置１は、図３に示すように、２つの記録部１０（以下、
第一記録部１０ａ及び第二記録部１０ｂと呼ぶ）、搬送部の一例としての搬送ユニット６
０、及び、これらを制御し画像記録装置１としての動作を司るコントローラー８０（図４
参照）を有している。
【００３３】
２つの記録部１０は、それぞれ、潜像を担持する像担持体の一例としての感光体２０、
帯電ローラー３２を有する帯電ユニット３０、露光ユニット４０（本実施の形態において
は、帯電ユニット３０及び露光ユニット４０が、潜像を像担持体に形成する潜像形成部に
相当）、及び、対向部材の一例としての対向ローラー５２と電界発生部の一例としての電
圧印加部５４とを有する電界生成ユニット５０を備えている。
【００３４】
具体的には、第一記録部１０ａは、図３に示すように、第一像担持体の一例としての第
一感光体２０ａの回転方向に沿って、第一帯電ローラー３２ａを有する第一帯電ユニット
３０ａ、第一露光ユニット４０ａ、第一対向部材の一例としての第一対向ローラー５２ａ
と第一電圧印加部５４ａ（図４参照）とを有する第一電界生成ユニット５０ａを備えてい
る。また、第二記録部１０ｂは、図３に示すように、第二像担持体の一例としての第二感
光体２０ｂの回転方向に沿って、第二帯電ローラー３２ｂを有する第二帯電ユニット３０
ｂ、第二露光ユニット４０ｂ、第二対向部材の一例としての第二対向ローラー５２ｂと第
二電圧印加部５４ｂ（図４参照）とを有する第二電界生成ユニット５０ｂを備えている。
【００３５】
第一記録部１０ａと第二記録部１０ｂとの相違は、第一感光体２０ａと第二感光体２０
ｂとが互いに逆の極性の潜像を担持する点にある。本実施の形態においては、第一感光体
２０ａは、正極性の潜像を担持し、第二感光体２０ｂは、負極性の潜像を担持する。換言
すれば、第一感光体２０ａは、所謂正帯電感光体であり、第二感光体２０ｂは、所謂負帯
電感光体である。
【００３６】
なお、その他の第一記録部１０ａと第二記録部１０ｂの構成は概ね同様であるので、以
下では、主として第一記録部１０ａについて説明する。
【００３７】
第一感光体２０ａは、金属製の円筒状の導電性基材と、その外周面に形成され静電気を
保持するための樹脂製の感光層と、を有している。この第一感光体２０ａは、中心軸を中
心に回転可能であり、本実施の形態においては、図３中の矢印で示すように時計回りに回
転する。
【００３８】
第一帯電ユニット３０ａは、第一感光体２０ａを帯電させるためのものである。この第
一帯電ユニット３０ａは、第一帯電ローラー３２ａを有しており、本実施の形態において
は、当該第一帯電ローラー３２ａが、第一感光体２０ａを、Ｖ１＝５００ボルトに帯電さ
せるようになっている（一方で、第二帯電ローラー３２ｂは、第二感光体２０ｂを、Ｖ１
＝−５００ボルトに帯電させるようになっている）。
【００３９】
第一露光ユニット４０ａは、レーザーを照射することによって、帯電された第一感光体
２０ａ上に、潜像（本項においては、潜像を、前記黒像部のみならず前記白像部にも対応
する像であることとする）を形成するものである。この第一露光ユニット４０ａは、半導
体レーザー、ポリゴンミラー、Ｆ−θレンズ等を有しており、パーソナルコンピューター
、ワードプロセッサ等の不図示のホストコンピューターから入力された画像信号に基づい
て、変調されたレーザーを帯電された第一感光体２０ａ上に照射する。本実施の形態にお
いては、前記白像部に相当する部分にレーザーが照射され、当該部分の電位がＶ１＝５０
０ボルトからＶ２＝５０ボルトとなる。すなわち、Ｖ２＝５０ボルトの白像部に相当する
部分とＶ１＝５００ボルトの黒像部に相当する部分とを有する潜像が得られることとなる
。
【００４０】
なお、後に詳述するが、第二記録部１０ｂにおいては、第一記録部１０ａにおいて第一
感光体２０ａに形成される当該潜像の代わりに、当該潜像を反転させた反転潜像が形成さ
れる。つまり、第二記録部１０ｂにおいては、前記白像部に相当する部分ではなく、前記
黒像部に相当する部分の方にレーザーが照射される。
【００４１】
また、前述した通り、第二感光体２０ｂは、第一感光体２０ａとは異なり、負帯電感光
体であるため、第二記録部１０ｂにおいては、前記黒像部に相当する部分にレーザーが照
射された結果、当該部分の電位がＶ１＝−５００ボルトからＶ２＝−５０ボルトとなり、
Ｖ２＝−５０ボルトの黒像部に相当する部分とＶ１＝−５００ボルトの白像部に相当する
部分とを有する潜像が得られることとなる。
【００４２】
第一電界生成ユニット５０ａは、電子ペーパー１００の厚み方向に電界を発生させて、
当該電子ペーパー１００の正帯電白色粒子及び負帯電黒色粒子を厚み方向に移動させるた
めのものである。この第一電界生成ユニット５０ａは、第一対向ローラー５２ａと第一電
圧印加部５４ａ（図４参照）とを備えている。
【００４３】
第一対向ローラー５２ａは、第一感光体２０ａと対向する回転可能なローラーである。
この第一対向ローラー５２ａは、電子ペーパー１００が第一感光体２０ａと当該第一対向
ローラー５２ａとの間（以下、第一間隙Ｇ１とも呼ぶ）に位置する際に、第一感光体２０
ａと協働して電子ペーパー１００を挟んで圧接させつつ（換言すれば、第一感光体２０ａ
と第一対向ローラー５２ａとはニップ部にて電子ペーパー１００を挟んで圧接している）
、第一感光体２０ａの回転に伴ってその回転方向とは反対方向に回転する。第一対向ロー
ラー５２ａの、電子ペーパー１００を介して第一感光体２０ａと接触する接触部分は、ゴ
ム製である。
【００４４】
第一電圧印加部５４ａは、電子ペーパー１００が第一間隙Ｇ１に位置する際に、前記第
一対向ローラー５２ａに印加電圧を印加する（すなわち、第一対向ローラー５２ａは、被
電圧印加部としての機能を有する）。そして、このことにより、第一間隙Ｇ１に電子ペー
パー１００の厚み方向に沿う電界を発生させて、電子ペーパー１００の正帯電白色粒子及
び負帯電黒色粒子を厚み方向に移動させることにより、前記潜像に対する画像を電子ペー
パー１００に表示させる。なお、第一電圧印加部５４ａが（また、第二電圧印加部５４ｂ
が）具体的にどのような印加電圧を印加するかについては、後に詳述する。
【００４５】
搬送ユニット６０は、電子ペーパー１００を搬送するためのものである。この搬送ユニ
ット６０は、ペーパーカセット６２と、ペーパーカセット６２の上部に位置する給紙ロー
ラー６４と、給紙ローラー６４から見て、感光体２０側に位置する搬送ローラー６６と、
不図示の排紙ローラーと、を有している。給紙ローラー６４は、ペーパーカセット６２に
収容されている電子ペーパー１００を給紙するローラーである。搬送ローラー６６は、給
紙ローラー６４によって給紙された電子ペーパー１００を感光体２０と対向ローラー５２
との間に搬送するローラーである。排紙ローラーは、画像が表示された電子ペーパー１０
０を画像記録装置１から排出するローラーである。これらのローラーは、不図示のモータ
ーにより駆動される。
【００４６】
コントローラー８０は、画像記録装置１の制御を行うための制御ユニット（制御部）で
ある。コントローラー８０は、インターフェイス部８１と、ＣＰＵ８２と、メモリー８３
と、ユニット制御回路８４と、を有する。
【００４７】
インターフェイス部８１は、外部装置である前記ホストコンピューターと画像記録装置
１との間でデータの送受信を行う。ＣＰＵ８２は、画像記録装置１全体の制御を行うため
の演算処理装置である。メモリー８３は、ＣＰＵ８２のプログラムを格納する領域や作業
領域等を確保するためのものであり、ＲＡＭ、ＥＥＰＲＯＭ等の記憶素子を有する。ＣＰ
Ｕ８２は、メモリー８３に格納されるプログラムに従って、ユニット制御回路８４を介し
て各ユニットを制御する。
【００４８】
＝＝＝画像記録装置１の動作例について＝＝＝
次に、画像記録装置１の動作例、すなわち、画像記録装置１が電子ペーパー１００に画
像を記録する際の動作例について、図２、図５乃至図８を用いて説明する。図５は、第一
対向ローラー５２ａに印加される印加電圧を示した図である。図６は、不適切記録問題を
説明するための説明図である。図７は、第二対向ローラー５２ｂに印加される印加電圧を
示した図である。図８は、不適切な記録が軽減される理由を説明するための説明図である
。
【００４９】
なお、画像記録装置１の各種動作は、主としてコントローラー８０により実現される。
特に、本実施の形態においては、メモリー８３に格納されたプログラムをＣＰＵ８２が処
理することにより実現される。そして、このプログラムは、以下に説明する各種の動作を
行うためのコードから構成されている。
【００５０】
ホストコンピューターからの画像信号及び制御信号がインターフェイス部８１を介して
コントローラー８０に入力されると、ユニット制御回路８４の制御により、感光体２０が
回転する。なお、ペーパーカセット６２には、画像が未表示の電子ペーパー１００が収容
されている。
【００５１】
第一感光体２０ａは、回転しながら、帯電位置において第一帯電ユニット３０ａにより
、順次Ｖ１＝５００ボルトに帯電される。  
第一感光体２０ａの帯電された領域は、第一感光体２０ａの回転に伴って露光位置に至
り、第一露光ユニット４０ａによって、潜像が該領域に形成される。すなわち、該領域が
前記白像部に相当する部分であれば当該領域にレーザーが照射される。この結果、Ｖ２＝
５０ボルトの白像部に相当する部分とＶ１＝５００ボルトの黒像部に相当する部分とを有
する潜像が第一感光体２０ａ上に形成される。
【００５２】
第一感光体２０ａ上に形成された潜像は、第一感光体２０ａの回転に伴って、第一対向
ローラー５２ａと対向する対向位置に至る。一方で、電子ペーパー１００が、搬送ユニッ
ト６０により、第一間隙Ｇ１に搬送され、該第一間隙Ｇ１に位置することとなる。そして
、電子ペーパー１００が該第一間隙Ｇ１に位置する状態で、第一電圧印加部５４ａによっ
て第一対向ローラー５２ａに印加電圧が印加され、該第一間隙Ｇ１に電子ペーパー１００
の厚み方向に沿う電界が発生する。そして、このことにより、潜像に対応する画像が電子
ペーパー１００に表示される。
【００５３】
具体的には、第一電圧印加部５４ａは、図５に示すように、第一対向ローラー５２ａに
、前記白像部に相当する部分における電位及び前記黒画像に相当する部分における電位の
うち小さい方（本実施の形態においてはＶ２ボルト）よりも大きくて、大きい方（本実施
の形態においてはＶ１ボルト）よりも小さいＶ３ボルトの直流印加電圧（本実施の形態に
おいては、Ｖ１ボルトとＶ２ボルトの平均値であるＶ３＝２７５ボルト）を印加する。
【００５４】
前記黒像部に相当する部分が前記対向位置に位置する際に、当該印加が成されると、第
一感光体２０ａ側（上側）がＶ１＝５００ボルト、第一対向ローラー５２ａ側（下側）が
Ｖ３＝２７５ボルトとなるため、図２の左図に示したように、下向き（電子ペーパー１０
０の上側絶縁層１４１から下側絶縁層１４２へ向かう向き）の電界が発生する。そして、
当該電界の作用により、電子ペーパー１００内の負帯電黒色粒子が上側絶縁層１４１（表
示面１２１）側に、正帯電白色粒子が下側絶縁層１４２側に、それぞれ移動するため、電
子ペーパー１００の前記間に位置する部位には、黒像が表示されることとなる（当該部位
が、黒像部となる）。一方、前記白像部に相当する部分が前記対向位置に位置する際に、
当該印加が成されると、第一感光体２０ａ側（上側）がＶ２＝５０ボルト、対向ローラー
５２側（下側）がＶ３＝２７５ボルトとなるため、図２の右図に示したように、上向き（
電子ペーパー１００の下側絶縁層１４２から上側絶縁層１４１へ向かう向き）の電界が発
生する。そして、当該電界の作用により、電子ペーパー１００内の正帯電白色粒子が上側
絶縁層１４１（表示面１２１）側に、負帯電黒色粒子が下側絶縁層１４２側に、それぞれ
移動するため、電子ペーパー１００の前記間に位置する部位には、白像が表示されること
となる（当該部位が、白像部となる）。つまり、潜像の前記黒像部に相当する部分が前記
対向位置に位置する際には電子ペーパー１００は黒像を表示し、潜像の前記白像部に相当
する部分が前記対向位置に位置する際には電子ペーパー１００は白像を表示することとな
るため、黒像部に相当する部分及び白像部に相当する部分を有する潜像が電子ペーパー１
００に転写（コピー）されることとなる。
【００５５】
このように、本実施の形態においては、第一電圧印加部５４ａが、第一対向ローラー５
２ａに印加電圧を印加することにより、第一感光体２０ａと第一対向ローラー５２ａとの
間に厚み方向に沿う電界を発生させ、着色帯電粒子を厚み方向に移動させることにより電
子ペーパー１００に潜像に対応する画像を表示させる。すなわち、コントローラー８０は
、直流印加電圧の大きさを、黒画像に相当する部分における電位（Ｖ１ボルト）よりも小
さくて白像部に相当する部分における電位（Ｖ２ボルト）よりも大きい値であるＶ３ボル
トに制御して、第一電圧印加部５４ａが、Ｖ３ボルトの印加電圧を印加する。そして、こ
のことにより、第一電圧印加部５４ａは、第一感光体２０ａの黒画像に相当する部分と第
一対向ローラー５２ａとの間に発生する電界の方向及び当該電界による負帯電黒色粒子（
正帯電白色粒子）の移動方向と、第一感光体２０ａの白像部に相当する部分と第一対向ロ
ーラー５２ａとの間に発生する電界の方向及び当該電界による負帯電黒色粒子（正帯電白
色粒子）の移動方向と、を逆転させることにより、電子ペーパー１００に潜像に対応する
白黒の画像を表示させる。
【００５６】
そして、上述した画像を表示させるための動作は継続して実行される。すなわち、コン
トローラー８０は、電子ペーパー１００を搬送ユニット６０に搬送させて、電子ペーパー
１００の互いに異なる部位を第一間隙Ｇ１に順次送り込み、かつ、潜像の第一感光体２０
ａへの形成を第一帯電ユニット３０ａ及び第一露光ユニット４０ａに行なわせて、第一電
圧印加部５４ａを制御することにより第一間隙Ｇ１に送り込まれた前記部位に潜像に対応
する画像を順次表示させる処理（以下、第一処理と呼ぶ）を実行する。このことにより、
当該第一間隙Ｇ１において、電子ペーパー１００の前記部位に、潜像に対応する画像が順
次表示される（電子ペーパー１００に潜像が順次転写される）。
【００５７】
ところで、本実施の形態（本件例）においては、第一記録部１０ａによる前記第一処理
を行なった後に、第二記録部１０ｂによる第二処理（後に詳述する）が行なわれるが、比
較例（例えば、従来例）においては、記録部は一つしか設けられておらず、前記第一処理
により電子ペーパーに画像が表示されると、電子ペーパーへの画像記録処理は終了し、電
子ペーパーは排紙ローラーにより画像記録装置から排出されていた。
【００５８】
そして、かかる比較例においては、画像の形状によっては、画像が適切に記録されない
場合があった。例えば、当該画像として、罫線を記録する際に、罫線が細く記録される場
合があった。
【００５９】
以下では、本実施の形態に係る画像記録装置１の動作例の説明を中断して、先ず、比較
例における当該問題について詳説する。そして、当該問題の説明後に、動作例の説明（主
に、第二記録部１０ｂによる第二処理の説明）に戻る。
【００６０】
ここで、比較例における当該問題（以下、便宜上、不適切記録問題とも呼ぶ）が生ずる
理由について、図６を用いて説明する。図６は、不適切記録問題を説明するための説明図
である。
【００６１】
先ず、図６の上図に着目する。当該上図には、電子ペーパー１００に表示させる画像の
一例であって、当該不適切記録問題が生じ得る画像が示されている。なお、当該画像は、
便宜上、Ｘ方向には、白黒が変化するものの、Ｙ方向には、白黒の変化がない画像である
こととしている。そして、このような画像を電子ペーパー１００に表示させるためには、
図６の上中央図に示す潜像が形成されることとなる。すなわち、前述したとおり、前記白
像部に相当する部分にレーザーが照射され、当該部分の電位がＶ１＝５００ボルトからＶ
２＝５０ボルトとなり、Ｖ２＝５０ボルトの白像部に相当する部分とＶ１＝５００ボルト
の黒像部に相当する部分とを有する潜像が感光体上に形成される。
【００６２】
ここで、記号Ａで示された部分に着目すると、当該部分Ａにおいては、微小な範囲（当
該範囲を記号ａで示す）を残して、その両側においてレーザーが照射されることになる。
そして、このようなケースにおいては、前記両側における照射に引きずられて、当該範囲
ａにおける電位が下がってしまい得ることが知られている（どの程度下がるかは、露光ユ
ニットの性能等に依存する）。つまり、前記両側においてレーザーが照射される場合には
、当該微小な範囲ａを確実に残すのが難しく、実際には、図６の下中央図のように電位が
下がってしまう（上中央図は理想の電位を表した図であり、下中央図は実際の電位を表し
た図である）。
【００６３】
なお、記号Ｂで示された部分は、微小な範囲ｂが存在する点で部分Ａと共通するが、部
分Ａとは異なりレーザーの照射が当該微小な範囲ｂにおいて行なわれる。そして、このよ
うなケースにおいては、前記不適切記録問題は発生しない。また、記号Ｃで示された部分
は、ある範囲を残して、その両側においてレーザーが照射される点で部分Ｂと共通するが
、部分Ａとは異なり当該範囲が微小な範囲ではない。そして、このようなケースにおいて
も、前記不適切記録問題は発生しない。
【００６４】
そして、図６の下中央図のように電位が下がってしまった場合には、前記微小な範囲ａ
の端部において電位がＶ３＝２７５Ｖよりも小さくなってしまうから（電位がＶ３＝２７
５Ｖよりも大きい箇所が、前記微小な範囲ａの中央部のみになってしまうから）、図６の
下図に示すように、画像における罫線Ｌが細くなってしまう（図６の上図と下図を参照。
上図は表示されるべき画像を表した図であり、下図は実際に表示される画像を表した図で
ある）。
【００６５】
このように、一つの記録部による一つの処理（第一処理）により電子ペーパーに画像が
表示されると電子ペーパーへの画像記録処理が終了する比較例においては、不適切記録問
題が生ずる可能性がある。そこで、本実施の形態に係る画像記録装置１においては、第一
記録部１０ａによる第一処理を行なって電子ペーパー１００に画像を一旦表示させた後に
、第二記録部１０ｂにおける第二処理を行なって電子ペーパー１００に画像を再度表示さ
せる。そして、このようにすることによって、第一処理が行なわれた結果、不適切な記録
が生じたとしても、第二処理により当該不適切な記録が軽減されることとなる（つまり、
第二記録部１０ｂは不適切な記録を修復させる機能を有する）。以下では、動作例の説明
に戻って、第二記録部１０ｂによる第二処理について説明する。そして、その後、どうし
て第二処理により、不適切な記録が軽減されるかについて説明する。
【００６６】
コントローラー８０は、前述したとおり、電子ペーパー１００を搬送ユニット６０に搬
送させて、電子ペーパー１００の互いに異なる部位を第一間隙Ｇ１に順次送り込み、かつ
、潜像の第一感光体２０ａへの形成を第一帯電ユニット３０ａ及び第一露光ユニット４０
ａに行なわせて、第一電圧印加部５４ａを制御することにより第一間隙Ｇ１に送り込まれ
た前記部位に潜像に対応する画像を順次表示させる第一処理を実行するが、その後、電子
ペーパー１００を搬送ユニット６０にさらに搬送させて、第一間隙Ｇ１を一旦抜けた前記
部位を第二間隙Ｇ２に順次送り込み、かつ、第一感光体２０ａに形成される潜像を反転さ
せた反転潜像の第二感光体２０ｂへの形成を第二帯電ユニット３０ｂ及び第二露光ユニッ
ト４０ｂに行なわせて、第二電圧印加部５４ｂを制御することにより第二間隙Ｇ２に送り
込まれた前記部位に反転潜像に対応する画像を順次表示させる第二処理を実行する。
【００６７】
第二処理について、具体的に説明する。第二感光体２０ｂは、回転しながら、帯電位置
において第二帯電ユニット３０ｂにより、（第一感光体２０ａとは異なり）順次Ｖ１＝−
５００ボルトに帯電される。
【００６８】
第二感光体２０ｂの帯電された領域は、第二感光体２０ｂの回転に伴って露光位置に至
り、第二露光ユニット４０ｂによって、潜像が該領域に形成される。なお、前述したとお
り、第二処理においては、第一処理において形成された潜像ではなく、当該潜像を反転さ
せた反転潜像が形成される。すなわち、該領域が前記黒像部に相当する部分であれば当該
領域にレーザーが照射される。この結果、Ｖ２＝−５０ボルトの黒像部に相当する部分と
Ｖ１＝−５００ボルトの白像部に相当する部分とを有する潜像が第二感光体２０ｂ上に形
成される。
【００６９】
第二感光体２０ｂ上に形成された潜像は、第二感光体２０ｂの回転に伴って、第二対向
ローラー５２ｂと対向する対向位置に至る。一方で、電子ペーパー１００が、搬送ユニッ
ト６０により、第二間隙Ｇ２に搬送され、該第一間隙Ｇ２に位置することとなる。そして
、電子ペーパー１００が該第二間隙Ｇ２に位置する状態で、第二電圧印加部５４ｂによっ
て第二対向ローラー５２ｂに印加電圧が印加され、該第二間隙Ｇ２に電子ペーパー１００
の厚み方向に沿う電界が発生する。そして、このことにより、潜像に対応する画像が電子
ペーパー１００に再度表示される。
【００７０】
具体的には、第二電圧印加部５４ｂは、図７に示すように、第二対向ローラー５２ｂに
、前記白像部に相当する部分における電位及び前記黒画像に相当する部分における電位の
うち小さい方（本実施の形態においてはＶ１ボルト）よりも大きくて、大きい方（本実施
の形態においてはＶ２ボルト）よりも小さいＶ３ボルトの直流印加電圧（本実施の形態に
おいては、Ｖ１ボルトとＶ２ボルトの平均値であるＶ３＝−２７５ボルト）を印加する。
【００７１】
第一処理においては、前述したとおり、前記黒像部に相当する部分が前記対向位置に位
置する際に、当該印加が成されると、第一感光体２０ａ側（上側）がＶ１＝５００ボルト
、第一対向ローラー５２ａ側（下側）がＶ３＝２７５ボルトとなるため、図２の左図に示
したように、下向き（電子ペーパー１００の上側絶縁層１４１から下側絶縁層１４２へ向
かう向き）の電界が発生していたが、第二処理においては、第一処理と比べて、潜像の反
転（逆転）と感光体の帯電極性の逆転が生じている。したがって、第二処理において、前
記黒像部に相当する部分が前記対向位置に位置する際に、当該印加が成されると、第二感
光体２０ｂ側（上側）がＶ１＝５００ボルトでなくＶ２＝−５０ボルト、第二対向ローラ
ー５２ｂ側（下側）がＶ３＝２７５ボルトではなくＶ３＝−２７５ボルトとなるため、第
一処理と同様（図２の左図参照）、下向き（電子ペーパー１００の上側絶縁層１４１から
下側絶縁層１４２へ向かう向き）の電界が発生することとなる（二つの「逆転」が生じて
いるため、元に戻って、電界の向きは第一処理と同じになる）。そして、当該電界の作用
により、電子ペーパー１００内の負帯電黒色粒子が上側絶縁層１４１（表示面１２１）側
に、正帯電白色粒子が下側絶縁層１４２側に、それぞれ移動するため、電子ペーパー１０
０の前記間に位置する部位には、黒像が表示されることとなる（当該部位が、黒像部とな
る）。
【００７２】
前記白像部に相当する部分が前記対向位置に位置する場合についても同様であり、かか
る際に、当該印加が成されると、第二感光体２０ｂ側（上側）がＶ２＝５０ボルトでなく
Ｖ１＝−５００ボルト、第二対向ローラー５２ｂ側（下側）がＶ３＝−２７５ボルトとな
るため、第一処理と同様（図２の右図参照）、上向き（電子ペーパー１００の下側絶縁層
１４２から上側絶縁層１４１へ向かう向き）の電界が発生する。そして、当該電界の作用
により、電子ペーパー１００内の正帯電白色粒子が上側絶縁層１４１（表示面１２１）側
に、負帯電黒色粒子が下側絶縁層１４２側に、それぞれ移動するため、電子ペーパー１０
０の前記間に位置する部位には、白像が表示されることとなる（当該部位が、白像部とな
る）。
【００７３】
このように、第二処理においては、第二電圧印加部５４ｂが、第二感光体２０ｂと第二
対向ローラー５２ｂとの間に厚み方向に沿う電界を発生させ、着色帯電粒子を厚み方向に
移動させることにより電子ペーパー１００に潜像に対応する画像を、第一処理における表
示に引き続いて再表示させる。そして、第一処理と同様、潜像の前記黒像部に相当する部
分が前記対向位置に位置する際には電子ペーパー１００は黒像を表示し、潜像の前記白像
部に相当する部分が前記対向位置に位置する際には電子ペーパー１００は白像を表示する
こととなるため、黒像部に相当する部分及び白像部に相当する部分を有する潜像が電子ペ
ーパー１００に転写（コピー）されることとなる。
【００７４】
そして、第二処理による画像再表示が完了した電子ペーパー１００は、排紙ローラーに
よって、画像記録装置１から排出される。
【００７５】
＜＜＜第二処理により不適切な記録が軽減される理由について＞＞＞
上述したとおり、第二処理においては、第一処理と同様、潜像の黒像部に相当する部分
が電子ペーパー１００に転写されて、黒像として電子ペーパー１００に表示され、潜像の
白像部に相当する部分が電子ペーパー１００に転写されて、白像として電子ペーパー１０
０に表示される（つまり、同様の画像記録処理が二回行なわれている）。しかしながら、
第二処理においては、潜像の反転（逆転）と感光体の帯電極性の逆転が生じている点で、
第一処理とは異なっている。そして、第二処理においては、当該二つの「逆転」のうちの
潜像の反転が要因となって、前述した不適切な記録が軽減されることとなる。
【００７６】
図６及び図８を用いて、さらに詳細に説明する。図８は、不適切な記録が軽減される理
由を説明するための説明図である。
【００７７】
図８の上図は、既に説明した図６の上図と同じものであり、電子ペーパー１００に表示
させる画像の一例を表している。そして、第二処理においては、このような画像を電子ペ
ーパー１００に表示させるために、第一処理とは異なり、図６の上中央図に示した潜像を
反転させた反転潜像（図８の上中央図参照）が形成されることとなる。すなわち、前述し
たとおり、前記黒像部に相当する部分にレーザーが照射され、当該部分の電位がＶ１＝−
５００ボルトからＶ２＝−５０ボルトとなり、Ｖ２＝−５０ボルトの黒像部に相当する部
分とＶ１＝−５００ボルトの白像部に相当する部分とを有する潜像が感光体上に形成され
る。
【００７８】
ここで、再度、記号Ａで示された部分に着目する。第一処理においては、図６の上中央
図及び下中央図で示したとおり、微小な範囲ａを残して、その両側においてレーザーが照
射されることとなっていたため、当該範囲ａにおいて電位が下がってしまい、このことが
不適切な記録の原因となっていた。しかしながら、第二処理においては、潜像を反転させ
たため、図８の上中央図及び下中央図に示すように、当該微小な範囲ａにおいてレーザー
の照射が行なわれることとなる（すなわち、図６の記号Ｂで示された部分と同様になる）
。したがって、第二処理においては、記号Ａで示された部分において、前記不適切記録問
題は生じない。
【００７９】
このように、本実施の形態においては、前述した比較例とは異なり、第一処理と第二処
理を行い、双方の処理の一方では、記号Ａで示された部分において、不適切な記録が成さ
れるものの、他方では、適切な記録が成される。そのため、前記他方の処理の適切な記録
が前記一方の処理の不適切記録問題をカバーすることとなり、記号Ａで示された部分にお
ける不適切な記録が軽減され、双方の処理が終了した際の画像の画質は、前記比較例と比
べて、より良いものとなる。
【００８０】
なお、第二処理において適切な記録が成されるのであれば、第一処理を行なわずに第二
処理だけを行なう（換言すれば、第一記録部１０ａ及び第二記録部１０ｂのうちの後者の
みしかない画像記録装置で、電子ペーパー１００への画像記録を行なう）ようにすればよ
いのでは（以下、第二比較例とも呼ぶ）という疑問が生じ得るかもしれないが、これは、
以下に説明するように正しくない。
【００８１】
すなわち、第二処理においては、記号Ａで示された部分における不適切記録問題は生じ
ないが、代わりに、記号Ｂで示された部分において、当該不適切記録問題が生じ得る。つ
まり、第二処理においては、潜像を反転させたため、図８の上中央図及び下中央図に示す
ように、当該微小な範囲ｂを残して、その両側においてレーザーが照射されることとなる
（すなわち、図６の記号Ａで示された部分と同様になる）。そのため、当該範囲ｂにおい
て電位が下がってしまい、このことが不適切な記録の原因となってしまう（図８の下図に
示すように、線状の空白部の幅が狭くなってしまう）。
【００８２】
これに対し、本実施の形態においては、第二比較例とは異なり、第一処理と第二処理を
行い、双方の処理の一方では、記号Ｂで示された部分において、不適切な記録が成される
ものの、他方では、適切な記録が成される。そのため、前記他方の処理の適切な記録が前
記一方の処理の不適切記録問題をカバーすることとなり、記号Ｂで示された部分における
不適切な記録が軽減され、双方の処理が終了した際の画像の画質は、前記第二比較例と比
べて、より良いものとなる。
【００８３】
以上の通り、本実施の形態に係る画像記録装置１においては、コントローラー８０が、
前述した第一処理及び第二処理を実行することにより、電子ペーパー１００に記録される
画像の画質を向上させることができる。
【００８４】
＝＝＝その他の実施の形態＝＝＝
上記の実施の形態は、主として電子ペーパーへの画像記録装置について記載されている
が、電子ペーパーへの画像記録方法等の開示も含まれている。また、上記の実施形態は、
本発明の理解を容易にするためのものであり、本発明を限定して解釈するためのものでは
ない。本発明は、その趣旨を逸脱することなく、変更、改良され得ると共に、本発明には
その等価物が含まれることは言うまでもない。特に、以下に述べる実施形態であっても、
本発明に含まれるものである。
【００８５】
また、上記実施の形態においては、着色帯電粒子として正帯電白色粒子と負帯電黒色粒
子を例に挙げて説明したが、これに限定されるものではない。
【００８６】
例えば、白色粒子が負帯電であり、黒色粒子が正帯電であってもよい。また、色につい
ては、白色、黒色に限定されるものではなく、双方の色が異なっていればどのような色で
あってもよい。例えば、赤色、青色、緑色などの有彩色や、金色、銀色等の金属光沢色か
ら目的に合わせて適宜選択することができる。また、二色の粒子のうちの片方のみが帯電
していて他方が帯電していない（無帯電である）場合（例えば、白色粒子が無帯電である
ため、着色帯電粒子としては負帯電黒色粒子のみが存在する場合）であってもよく、この
ような場合にも本発明を適用できる。
【００８７】
また、上記実施の形態においては、電子ペーパー１００の上側絶縁層１４１が光透過性
を有する（実質的に透明である）一方で、下側絶縁層１４２は光透過性を有さない（実質
的に不透明である）こととしたが、これに限定されるものではない。例えば、上側絶縁層
１４１と下側絶縁層１４２の双方が光透過性を有する（実質的に透明である）こととして
もよく、この場合には、上側絶縁層１４１と下側絶縁層１４２のいずれをも表示面１２１
とすることが可能となる。
【００８８】
また、上記実施の形態においては、印加電圧が直流印加電圧であることとしたが、これ
に限定されるものではなく、印加電圧は、交流印加電圧であることとしてもよい。なお、
本明細書において、印加電圧の値とは、当該印加電圧が交流印加電圧である場合には、交
流印加電圧の平均値を意味するものとする。
【００８９】
また、上記実施の形態においては、正帯電感光体を有する記録部により第一処理が、負
帯電感光体を有する記録部により第二処理が、それぞれ実行されることとしたが、これに
限定されず、負帯電感光体を有する記録部により第一処理が、正帯電感光体を有する記録
部により第二処理が、それぞれ実行されることとしてもよい。
【符号の説明】
【００９０】
１  画像記録装置、１０  記録部、１０ａ  第一記録部、１０ｂ  第二記録部、２０  感
光体、２０ａ  第一感光体、２０ｂ  第二感光体、３０  帯電ユニット、３０ａ  第一帯
電ユニット、３０ｂ  第二帯電ユニット、３２  帯電ローラー、３２ａ  第一帯電ローラ
ー、３２ｂ  第二帯電ローラー、４０  露光ユニット、４０ａ  第一露光ユニット、４０
ｂ  第二露光ユニット、５０  電界生成ユニット、５０ａ  第一電界生成ユニット、５０
ｂ  第二電界生成ユニット、５２  対向ローラー、５２ａ  第一対向ローラー、５２ｂ  
第二対向ローラー、５４  電圧印加部、５４ａ  第一電圧印加部、５４ｂ  第二電圧印加
部、６０  搬送ユニット、６２  ペーパーカセット、６４  給紙ローラー、６６  搬送ロ
ーラー、８０  コントローラー、８１  インターフェイス部、８２  ＣＰＵ、８３  メモ
リー、８４  ユニット制御回路、１００  電子ペーパー、１０３  表示層、１０７  封止
部、１２１  表示面、１２３  裏側面、１３１  マイクロカプセル、１３２  バインダ、
１３３  カプセル本体、１４１  上側絶縁層、１４２  下側絶縁層
【図１】
2011237604.tif 000003
【図２】
2011237604.tif 000004
【図３】
2011237604.tif 000005
【図４】
2011237604.tif 000006
【図５】
2011237604.tif 000007
【図６】
2011237604.tif 000008
【図７】
2011237604.tif 000009
【図８】
2011237604.tif 000010